(57)【要約】【課題】安全コンセントの改良構造に関する。【解決手段】主として、コンセント本体を含み、前記コンセント本体中間に凹部を凹設し、且つ封じ板を凹部の開口に設け、前記封じ板の上端に両枢接穴を設け、且つ凹部の内側壁面に両枢接軸穴を設け、且つ前記枢接穴及び枢接軸穴は対応して設置されると共に、それぞれ保護蓋が枢接され、且つ両保護蓋の枢接箇所の側辺にはスプリングがセットされ、前記スプリングの一端を保護蓋の凸柱にセットすることによって、スプリングの回復力をもたらす、又、凹部内の下端には、差し入れ溝を開設し、差し入れ溝にはロックプレートを差し入れ、更に、コンセント本体の上端に両差し込み穴を開設し、コンセント本体の下端に両貫通孔を開設することによって、差し込み穴、貫通孔及び凹部の空間を全て導通させ、最後に両導電プレート（差刃）をそれぞれ両貫通孔の中へ差し入れて、本件の安全コンセントの改良構造を形成する。【選択図】図１
0003121566.tif 000002
【実用新案登録請求の範囲】
【請求項１】
コンセント本体と、封じ板と、二枚の保護蓋と、ロックプレートと、導電プレート（差刃）によって構成され、
前記コンセント本体の中間に凹部を凹設し、且つ凹部内に二つの枢接軸穴を設置し、更に凹部内下端に差し入れ溝を開設し、又、前記コンセント本体の上端に二つの差し込み穴を開設し、コンセント本体の下端に二つの貫通孔を開設し、且つ前記差し込み穴・貫通孔及び凹部の空間は相互に導通してあり、
前記封じ板の上端に二つの枢接穴を凹設してあり、前記封じ板は、コンセント本体凹部の開口に設置され、且つ枢接穴と枢接軸穴を対応させて設置してあり、
前記二枚の保護蓋の両側にそれぞれ回転軸を設置し、且つ片側に凸柱を凸設し、更に保護蓋前端に差し止め部を凸設すると共に、保護蓋下端の適当な箇所にフランジ部を設けてあり、前記二枚の保護蓋は回転軸によって本体の枢接軸穴及び封じ板の枢接穴に枢接され、且つ保護蓋側辺の枢接箇所にスプリングをセットし、前記スプリングの一端は保護蓋の凸柱にセットされ、
前記ロックプレート上端に二つの差し止めブロックを平行延伸し、前記ロックプレート下端は本体の差し入れ溝内に差し入れ固定され、
前記導電プレート（差刃）の適当な箇所に嵌着ブロックを設置してあり、前記導電プレート（差刃）はコンセント本体の貫通孔から差し入れられ、且つ導電プレート（差刃）の嵌着ブロックによってコンセント本体内に固定され、
上記構成部品の組合わせによって、形成されることを特徴とする、安全コンセントの改良構造。
【請求項２】
前記二枚の保護蓋の差し止め部は、それぞれロックプレートの両差し止めブロックによって差し止められることを特徴とする、請求項１に記載の安全コンセントの改良構造。
【請求項３】
前記保護蓋は、片方のみ押される場合、保護蓋のフランジ部がロックプレートの差し止めブロックを押し動かすが、前記差し止めブロックがもう一つの保護蓋に差し止められて片方のみを差し込むことが出来ないようにしたことを特徴とする、請求項１に記載の安全コンセントの改良構造。
【請求項４】
前記二枚の保護蓋を同時に押し動かす時は、二枚の保護蓋がロックプレートの両差し止めブロック位置をずらし、二枚の保護蓋下端のフランジ部が同調して二枚の差し止めブロックを左右に押し動かす、差し止め部の位置を同期に押し動かすため、二枚の保護蓋はいづれも相互差し止め牽制されることがなく、差し込みの導電プレート（差刃）を差し込むことが出来るようにしたことを特徴とする、請求項１に記載の安全コンセントの改良構造。
【考案の詳細な説明】
【技術分野】
【０００１】
本考案は、安全コンセントの改良構造、特にロックプレート及び保護蓋を設ける方式によって差し込み穴を塞ぎ、幼児が尖った金属物を差し込んで感電するような危険が発生するのを避けることの出来る安全コンセントの改良構造に関するものである。
【背景技術】
【０００２】
一般家庭では多くのコンセントを設置しており、コンセントを設置することによって、各種の電気製品を使用することができる。しかし、幼児のいる家庭では、コンセントの設置は危険な要素を孕んでいる。幼児は、もともと強い好奇心があるため、遊んでいる時に、コンセントの差し込み穴を見ると、尖ったものを差し込み穴の中へ差し込もうとし、若し、たまたま幼児の手に導電性の尖ったものがあった場合、かなり危険であり、感電する可能性もある。従って、家庭に幼児を持つ親たちにとってはかなり困ったことである。
そこで、一部の業者は、二本の柱体を設置したプラスチック製の差し込みキャップを開発し、前記二本の柱体をコンセントの差し込み穴に差し込むことによって、幼児が尖った物を差し込むことを避けることが出来るようにしている。しかし、幼児は依然その差し込みキャップを抜き取る可能性があり、同様に相当な危険性がある。このように、上述従来のコンセントには尚幾多の欠点があり、良い設計とは言いがたく、改良が待たれていた。
本考案者は、上述従来のコンセントに派生する各項の欠点に鑑み、極力新規改善を試み、且つ永年苦心研鑽の末、ついに本件の安全コンセントの改良構造の研究開発に成功した。
【考案の開示】
【考案が解決しようとする課題】
【０００３】
本考案の目的は、ロックプレート及び保護蓋が相互に差し止める方式で、差し込み穴を塞ぐことによって、幼児が尖った物を差し込んで感電する危険を避けることの出来る安全コンセントの改良構造を提供することにある。
本考案のもう一つの目的は、構造が簡単で、安全性が良好且つ低コストで製作できる安全コンセントの改良構造を提供することにある。
【課題を解決するための手段】
【０００４】
上述の目的を達成できる安全コンセントの改良構造は、コンセント本体と、封じ板と、保護蓋と、ロックプレートと、スプリング及び導電プレート（差刃）によって構成される。前記コンセント本体の中間には凹部を設け、且つ凹部の開口に封じ板を設けてある。前記封じ板の上端に二つの枢接穴を設け、凹部の内側壁面には二つの枢接軸穴を設置し、且つ前記枢接穴と枢接軸穴は対応して設置されており、又、二つの枢接穴及び枢接軸穴の上にはそれぞれ保護蓋が枢接される。前記保護蓋の下端にはフランジを凸設すると共に、両保護蓋の側辺にそれぞれ凸柱を突出させ、更に両保護蓋枢接箇所の側辺にスプリングを取り付け、スプリングの一端を保護蓋の凸柱に嵌めることによって、スプリングの回復力をもたらす。又、凹部内の下端に差し入れ溝を開設し、ロックプレートを前記差し入れ溝に差し入れる。前記ロックプレートの上に差し止めブロックを設け、保護蓋のフランジ部と相互に差し止め合うことができる。
次に、コンセント本体の上端に二つの差し込み穴を開設することによって、差し込み穴・貫通孔及び凹部の空間を互いに導通させ、最後に、更に二つの導電プレート（差刃）をそれぞれ二つの貫通孔の中に差し入れる。
上述構成部品の組み合わせによって、本件の安全コンセント構造を形成する。
コンセント本体の差し込み穴の片方のみに差し込み、且つ片方の保護蓋を押し動かすと、保護蓋のフランジ部がロックプレートの差し止めブロックを押し付ける。
しかし、前記差し止めブロックはもう一つの保護蓋と差し止め合うので、片方のみを保護蓋に差し込むことは出来ない。従って、幼児が尖った物を差し込んで感電する危険を避けることが出来る。
ユーザーが同時に両方の差し込み穴に差し込んで両方の保護蓋を押し動かすと、保護蓋は同調して差し止めブロックを同調して押し動かすため、差し止め位置をずらすことが出来、両方の保護蓋が何れも差し止めブロックに牽制されることがなく、順調に差し込みの導電プレート（差刃）を差し込むことが出来る。
【考案の効果】
【０００５】
本考案が提供する安全コンセントの改良構造は、その他の従来技術に比べ、更に下記のような長所がある。
１．本考案は、ロックプレート及び保護蓋が相互に差し止める方式によって、差し込み穴を封鎖することが出来、幼児が尖った物を差し込んで感電するよう危険を避けることが出来る。
２．本考案は、構造が簡単で、安全性が良好且つ低コストで製作できる安全コンセントの改良構造を提供できる。
上述詳細な説明は、本考案の実行可能な実施例の具体的説明であるが、前記実施例は、本考案の請求範囲を制限するものではなく、凡そ本考案の技芸精神を逸脱せずなされる等価実施又は変更は、全て本考案の請求範囲に含まれるものとする。
以上を総合すると、本考案は、空間形態の上で確かに創造的であるのみならず、従来物品に比べ上述多項目の効能を増進しており、新規性及び進歩性の法定実用新案登録請求の要件を十分満たしておるものとして請求する次第である。
【考案を実施するための最良の形態】
【０００６】
図１乃至図４Ａ，Ｂ，Ｃは、本考案が提供する安全コンセントの改良構造であり、主として、コンセント本体１と、封じ板２と、二枚の保護蓋３・４と、ロックプレート６と、導電プレート（差刃）７と、を含む。
前記コンセント本体１の中間に凹部１１を凹設し、凹部１１の内側壁面に二つの枢接軸穴１２を設置し、凹部１１内の下端に差し入れ溝１３を開設し、前記コンセント本体１の上端に二つの差し込み穴１４を開設する。コンセント本体１の下端に二つの貫通孔１５を設置し、且つ差し込み穴１４・貫通孔１５及び凹部１１の空間は相互に導通している。
前記封じ板２の上端には二つの枢接穴２１を凹設してあり、前記封じ板２はコンセント本体１の凹部開口に設置され、且つ枢接穴２１と枢接軸穴１２とは対応して設置してある。
前記両保護蓋３・４の両側には回転軸３１・４１を設置し、且つ片側に凸柱３２・４２を凸設し、又保護蓋３・４の前端に差し止め部３３・４３を凸設し、且つ保護蓋３・４下端の適当なところにフランジ部３４・４４を凸設してある。前記両保護蓋３・４は、回転軸３１・４１によって本体１の枢接軸穴１２及び封じ板２の枢接穴２１に枢接され、且つ保護蓋３・４側辺枢接部分にスプリング５がセットされ、前記スプリング５の一端は保護蓋３・４の凸柱３２・４２にセットされることによって、スプリングに回復力をもたらしている。
前記ロックプレート６の上端には二つの差し止めブロック６１・６２が平行して延伸されており、前記ロックプレート６の下端は本体１の差し入れ溝１３の中に差し入れ固定されている。
前記導電プレート（差刃）７の適当な箇所に、嵌着ブロック７１を設置してある。前記導電プレート（差刃）７は、コンセント本体１の差し込み穴１５から差し入れられ、且つ導電プレート７（差刃）の篏着ブロック７１によってコンセント本体１の中に固定されている。
上述構成部品の組合わせによって、本件の安全コンセント改良構造を形成する。
コンセント本体１の差し込み穴１４がとがった物８によって片方のみから差し込まれ、且つ片方の保護蓋３を押し動かすと、（図３に示すように）保護蓋３のフランジ３４がロックプレート６の差し止めブロック６１を押して動かすが、前記差し止めブロック６１はもう一方の保護蓋４の差し止め部４３に差し止められる。そこで、片方のみから保護蓋３に差し込むことは出来ない。従って幼児が尖った物８を差し入れて感電するようなことを避けることが出来る。
尚、図４Ａ、Ｂ、Ｃでは、ユーザーが差し込みの両導電プレート（差刃）９を同時に両差し込み穴１４に差し込み、且つ、両保護蓋３・４を動かし、両差し止め部３３・４３がロックプレート６に差し当たると、両差し止めブロック６１・６２の位置が相互にずれ（図４Ａ、Ｂに示すように）、且つ、両保護蓋３・４下端のフランジ部３４・４４が同調して両差し止めブロック６１・６２を押し動かし、左右に移動し、同調して差し止め位置がずれるため、両保護蓋３・４は相互に差し止め・牽制されることがなく、順調に差し込みの導電プレート（差刃）９を差し込むことが出来る（図４Ｃに示すように）。
上述方式によって、幼児が不注意によって尖った物を差し込んで感電するようなことを避けることが出来、安全第一の安全コンセント改良構造を達成できる。
【図面の簡単な説明】
【０００７】
【図１】本考案に係る安全コンセントの改良構造の斜視分解図である。
【図２】本考案に係る安全コンセントの改良構造の斜視結合図である。
【図３】本考案に係る安全コンセントの改良構造差し込み穴の片方に差し込んだ略図である。
【図４Ａ】本考案に係る安全コンセントの改良構造差し込み穴の双方に差し込んだ略図である。
【図４Ｂ】本考案に係る安全コンセントの改良構造差し込み穴の双方に差し込んだ略図である。
【図４Ｃ】本考案に係る安全コンセントの改良構造差し込み穴の双方に差し込んだ略図である。
【符号の説明】
【０００８】
１  コンセント本体
１１  凹部
１２  枢接軸穴
１３  差し入れ溝
１４  差し込み穴
１５  貫通孔
２  封じ板
２１  枢接穴
３  保護蓋
３１  回転軸
３２  凸柱
３３  差し止め部
３４  フランジ部
４  保護蓋
４１  回転軸
４２  凸柱
４３  差し止め部
４４  フランジ部
５  スプリング
６  ロックプレート
６１  差し止めブロック
６２  差し止めブロック
７  導電プレート（差刃）
７１  篏着ブロック
８  尖った物
９  導電プレート（差刃）
【図１】
0003121566.tif 000003
【図２】
0003121566.tif 000004
【図３】
0003121566.tif 000005
【図４Ａ】
0003121566.tif 000006
【図４Ｂ】
0003121566.tif 000007
【図４Ｃ】
0003121566.tif 000008